【手続補正書】
【提出日】令和2年6月29日(2020.6.29)
【手続補正１】
【補正対象書類名】特許請求の範囲
【補正対象項目名】全文
【補正方法】変更
【補正の内容】
【特許請求の範囲】
【請求項１】
無線通信システムにおける装置であって、
前記装置は、処理回路を含み、
前記処理回路は、
少なくともリソース集合配置情報、物理チャネル情報及びサービスタイプ情報のうち１つ又は複数に基づいて、サイドリンク通信に使用される１つ又は複数のパラメータセットの配置情報を確定し、
前記１つ又は複数のパラメータセットの配置情報をユーザー装置に送信するように基地局を制御して、前記ユーザー装置が前記１つ又は複数のパラメータセットに基づいて前記サイドリンク通信を実行するようにする、
ように配置され、
パラメータセットには、少なくともサブキャリア間隔及びサイクリックプレフィックスタイプが含まれる装置。
【請求項２】
前記処理回路はさらに、
前記１つ又は複数のパラメータセットの配置情報を上位層シグナリングに含めて、前記１つ又は複数のパラメータセットの配置情報を前記ユーザー装置に送信するように前記基地局を制御する、又は、
前記１つ又は複数のパラメータセットの配置情報を前記リソース集合配置情報に関連付けて前記ユーザー装置に送信するように前記基地局を制御する、
ように配置される請求項１に記載の装置。
【請求項３】
前記処理回路はさらに、
前記ユーザー装置からの少なくとも前記ユーザー装置の移動速度、チャネルビジー率、チャネル占用率及び前記サイドリンク通信のデータサービス優先度のうち１つ又は複数に関する情報に基づいて、前記１つ又は複数のパラメータセットから前記サイドリンク通信に使用されるパラメータセットを選択し、
選択されたパラメータセットを前記ユーザー装置に送信するように前記基地局を制御して、前記ユーザー装置が選択されたパラメータセットに基づいて前記サイドリンク通信を実行するようにする、
ように配置される請求項１に記載の装置。
【請求項４】
前記処理回路はさらに、
選択されたパラメータセットを物理層シグナリングに含めて、選択されたパラメータセットを前記ユーザー装置に送信するように前記基地局を制御する、又は、
前記サイドリンク通信がキャリアアグリゲーション通信である場合に、前記キャリアアグリゲーション通信における各コンポーネントキャリアに対して、前記１つ又は複数のパラメータセットからパラメータセットを選択する、
ように配置される請求項３に記載の装置。
【請求項５】
前記サイドリンク通信のデータサービス優先度に関する情報は、前記ユーザー装置からのリソース配置要求に含まれる、
請求項３に記載の装置。
【請求項６】
前記サイドリンク通信には、少なくとも車両のインターネット通信、装置間通信、マシン型通信、ドローン通信及びキャリアアグリゲーション通信が含まれる、
請求項１に記載の装置。
【請求項７】
パラメータセットには、サブフレーム内のタイムスロットの数、タイムスロット内のＯＦＤＭシンボルの数、及びフレーム内のタイムスロットの数のうち１つ又は複数がさらに含まれる、
請求項１に記載の装置。
【請求項８】
前記装置は、前記基地局として機能し、前記装置は、通信動作を実行するように配置される通信ユニットをさらに含む、
請求項１〜７のいずれか１項に記載の装置。
【請求項９】
無線通信システムにおける装置であって、
前記装置は、処理回路を含み、
前記処理回路は、
サイドリンク通信に使用される１つ又は複数のパラメータセットを取得し、
前記１つ又は複数のパラメータセットに基づいて前記サイドリンク通信を実行するようにユーザー装置を制御する、
ように配置され、
前記１つ又は複数のパラメータセットは、基地局からの配置情報に基づいて確定されるか又は予め配置されており、パラメータセットには少なくともサブキャリア間隔及びサイクリックプレフィックスタイプが含まれる装置。
【請求項１０】
前記処理回路さらに、前記基地局からの前記１つ又は複数のパラメータセットの配置情報を含む上位層シグナリングを復号化することによって前記１つ又は複数のパラメータセットを取得するように配置され、
前記１つ又は複数のパラメータセットは、前記基地局が少なくともリソース集合配置情報、物理チャネル情報及びサービスタイプ情報のうち１つ又は複数に基づいて確定する、
請求項９に記載の装置。
【請求項１１】
前記処理回路はさらに、
少なくとも前記ユーザー装置の移動速度、チャネルビジー率、チャネル占用率及び前記サイドリンク通信のデータサービス優先度のうち１つ又は複数に関する情報を前記基地局に送信するように前記ユーザー装置を制御して、前記基地局により当該情報に基づいて前記１つ又は複数のパラメータセットから前記サイドリンク通信に使用されるパラメータセットを選択するようにし、
前記基地局によって選択されたパラメータセットに基づいて前記サイドリンク通信を実行するように前記ユーザー装置を制御する、
ように配置される請求項１０に記載の装置。
【請求項１２】
前記処理回路はさらに、
前記基地局からの物理層シグナリングを復号化することによって、前記基地局によって選択されたパラメータセットを取得する、
ように配置される請求項１１に記載の装置。
【請求項１３】
前記処理回路はさらに、
少なくとも前記ユーザー装置の移動速度、チャネルビジー率、チャネル占用率及び前記サイドリンク通信のデータサービス優先度のうち１つ又は複数に関する情報に基づいて、前記１つ又は複数のパラメータセットから前記サイドリンク通信に使用されるパラメータセットを選択し、
選択されたパラメータセットに基づいて前記サイドリンク通信を実行するように前記ユーザー装置を制御する、
ように配置される請求項９又は１０に記載の装置。
【請求項１４】
前記処理回路はさらに、
前記１つ又は複数のパラメータセットが予め配置される場合に、少なくともリソース集合配置情報、物理チャネル情報及びサービスタイプ情報のうち１つ又は複数にも基づいて、前記１つ又は複数のパラメータセットから前記サイドリンク通信に使用されるパラメータセットを選択し、
前記サイドリンク通信に関する他の装置の関連情報にも基づいて、前記１つ又は複数のパラメータセットから前記サイドリンク通信に使用される前記パラメータセットを選択する、又は、
前記サイドリンク通信がキャリアアグリゲーション通信である場合に、前記キャリアアグリゲーション通信における各コンポーネントキャリアに対して、前記１つ又は複数のパラメータセットからパラメータセットを選択する、
ように配置される請求項１３に記載の装置。
【請求項１５】
前記処理回路はさらに、
選択されたパラメータセットをサイドリンク制御情報に含めて、前記サイドリンク制御情報を他の装置に送信するように前記ユーザー装置を制御する、
ように配置される請求項１１〜１４のいずれか１項に記載の装置。
【請求項１６】
前記処理回路はさらに、
他の装置からのサイドリンク制御情報を復号化することによって、他の装置がサイドリンク通信に使用するパラメータセットを取得し、
取得された前記他の装置のパラメータセットに基づいて、前記他の装置からの情報を受信するように前記ユーザー装置を制御する、
ように配置される請求項９に記載の装置。
【請求項１７】
前記サイドリンク通信には、少なくとも車両のインターネット通信、装置間通信、マシン型通信、ドローン通信及びキャリアアグリゲーション通信がさらに含まれる、
請求項９に記載の装置。
【請求項１８】
パラメータセットには、サブフレーム内のタイムスロットの数、タイムスロット内のＯＦＤＭシンボルの数及びフレーム内のタイムスロットの数のうち１つ又は複数がさらに含まれる、
請求項９に記載の装置。
【請求項１９】
前記装置は前記ユーザー装置として機能し、前記装置は、通信動作を実行するように配置される通信ユニットをさらに含む、
請求項９に記載の装置。
【請求項２０】
無線通信システムにおける方法であって、
サイドリンク通信に使用される１つ又は複数のパラメータセットを取得することと、
前記１つ又は複数のパラメータセットに基づいて前記サイドリンク通信を実行するようにユーザー装置を制御することと、
を含み、
前記１つ又は複数のパラメータセットは基地局からの配置情報に基づいて確定されるか又は予め配置されており、パラメータセットには少なくともサブキャリア間隔及びサイクリックプレフィックスタイプが含まれる方法。